(57)【要約】【課題】田植機に狭い条間隔を与えるための解決策を提案すること。【解決手段】回転ハウジングと、シーリング構成と、苗植え機ハウジングと、フォークアセンブリと、プランジャとを有する、狭い条間隔を持つモジュール式田植機。この苗植え機ハウジングは、かなりの空間を減少させるように、苗植え機ハウジングがフォークアセンブリおよびプランジャに関して側方に移動可能であるように置かれる。【選択図】図１
2015047165.tif 000002
【特許請求の範囲】
【請求項１】
回転ハウジングと、シーリング構成と、苗植え機ハウジングと、フォークアセンブリと、プランジャと、カム従動節と、コネクタとを備え、前記苗植え機ハウジングがオフセットされて置かれ、前記フォークアセンブリおよび前記プランジャに関して側方に移動可能である、
モジュール式植え替えユニット。
【請求項２】
前記苗植え機ハウジングが、前記コネクタおよび前記プランジャによって前記プランジャと前記カム従動節を接続するチェーンリンクが、前記苗植え機ハウジングの内部で往復運動する前記コネクタ上に挿入されるようになっている、請求項１に記載のモジュール式植え替えユニット。
【請求項３】
回転ハウジングと、シーリング構成と、苗植え機ハウジングと、フォークアセンブリと、プランジャと、カム従動節と、コネクタとを備え、前記シーリング構成が、オイルシールおよび軸受けが主ハウジングと前記回転ハウジングの間隙を閉じるように同じ面の中に設置されるように設けられる、
請求項１に記載のモジュール式植え替えユニット。
【請求項４】
回転ハウジングと、シーリング構成と、苗植え機ハウジングと、フォークアセンブリと、プランジャと、カム従動節と、コネクタとを備え、前記コネクタが、ピンによって前記プランジャと接続するカム従動節である、
モジュール式植え替えユニット。
【請求項５】
ハイブリッドクラッチと、主ハウジングと、複数の回転ハウジングとをさらに備え、前記ハイブリッドクラッチが、前記回転ハウジングを中心に移動するようにスプライン結合されたスプロケットを介して前記主ハウジング内で前記入力軸上に設けられる、
モジュール式植え替えユニット。
【請求項６】
回転ハウジングと、シーリング構成と、苗植え機ハウジングと、フォークアセンブリと、プランジャと、カム従動節と、コネクタとを備え、前記苗植え機ハウジングが前記フォークアセンブリおよび前記プランジャに関して固定されて、より幅広い条間隔を達成するように、前記苗植え機ハウジングが一直線に配置される、
モジュール式植え替えユニット。
【発明の詳細な説明】
【技術分野】
【０００１】
明細書の前文
以下の明細書は、本発明および本発明を実施する様式について特に説明する。
【０００２】
本発明は、苗、たとえば米の苗の植え替えの分野、苗の植え替えにおいて使用される植え付けユニット、および前記植え付けデバイスを装備する植え付け機に関する。
【背景技術】
【０００３】
米は１００カ国以上で栽培され、世界の人口の５０パーセント以上の主食である。米の耕作面積の約９０パーセントはアジアにある。アジアでは、６０％以上の農民は、２ｈａ未満の土地所有面積を持っている。したがって、狭い土地所有面積を対象とする技術は、開発途上国において非常に重要な役割を果たす。米栽培における植え替え作業を機械化することによって、人間の労働が減少し、効率が向上してきた。しかし、東南アジアおよび中国中部の一部では、機械化をうまく進めることはできなかった。これらの地域では、インディカ米が主に育てられており、この米は、狭い条（ｒｏｗ）間隔の植え替え解決策を必要とする。しかし、現在の従来の機械化された植え替え解決策において２０Ｃｍの条間隔という選択肢がないことは、大規模採用における大きな障害になっている。
【０００４】
従来の植え替え機器では、ハウジング内のクラッチ、軸受け、およびシールの構成は、狭い条間隔すなわち２５ｃｍ未満の条間隔を可能にしない。この領域における米栽培者の要件を満たすように既存の田植機を変化させるためには、根本的な変化が必要とされる。しかし、これまで、この必要性は対処されていない。さらに、その結果、植え付け幅が減少し、植え付け率、したがって機械の生産性の減少をもたらす。
【発明の概要】
【発明が解決しようとする課題】
【０００５】
本発明の基礎をなす目的は、好ましくは上述の問題を克服する、田植機に狭い条間隔を与えるための解決策を提案することである。
【課題を解決するための手段】
【０００６】
この目的は、本発明により請求項１の教示によって達成される。本発明のさらなる有利な開発およびさらなる構成は、後続の特許請求の範囲から得られる。
【０００７】
本発明の一実施形態によれば、２０から３０センチメートルの間の狭い条間隔が可能な米植え替えユニットの必要性は、２つの回転ケース間の距離を減少させることによって達成される。苗植え機（ｐｌａｎｔｅｒ）ハウジングは、狭い条間隔を達成するために苗植え機ハウジングがフォークアセンブリおよびプランジャに関して側方に移動可能であるように、一直線にならないように、またはオフセットされて置かれる。
【０００８】
本発明の別の実施形態によれば、苗植え機ハウジングは、コネクタおよびプランジャによってプランジャとカム従動節を接続するチェーンリンクが、苗植え機ハウジングの内部で往復運動するコネクタ上に挿入されるように設計される。
【０００９】
本発明の別の実施形態によれば、シーリング構成は、主ハウジングと回転ハウジングの間隙を閉じるようにオイルシールと軸受けが同じ面の中に設置されるように設定され、コネクタは、ピンによってプランジャと接続するカム従動節である。
【００１０】
本発明の別の実施形態は、ハイブリッドクラッチと、主ハウジングと、複数の回転ハウジングとを有し、ハイブリッドクラッチは、回転ハウジングを中心に近づけるようにスプライン結合されたスプロケットを介して主ハウジング内で入力軸上に設けられる。
【００１１】
本発明は、図面中の実施形態に関して、より詳細に説明される。
【図面の簡単な説明】
【００１２】
【図１】モジュール式米植え替えユニットの３次元図である。
【図２】モジュール式米植え替えユニットの底面図である。
【図３】モジュール式米植え替えユニットの上面図である。
【図４】モジュール式米植え替えユニットの側面図である。
【図５】モジュール式米植え替えユニットの、図４に示される断面Ａ−Ａにおける断面図である。
【図６】コネクタを示す、条間隔の狭い田植機のプランジャを通る、フォークアセンブリの断面図である。
【図７】カムリンクを示す、条間隔の狭い田植機のプランジャを通る、フォークアセンブリの断面図である。
【図８】代替のモジュール式米植え替えユニットＩの３次元図である。
【図９】代替のモジュール式米植え替えユニットＩにおけるハイブリッドクラッチの断面図である。
【図１０】曲がったフォークおよびプランジャアセンブリを備える代替植え付けハウジングの正面図である。
【発明を実施するための形態】
【００１３】
自動推進式乗用田植機の植え付けユニットが上記の図１に示されている。この植え付けユニットは、入力軸１において機械（図１に図示されず）の伝動から力を受け取り、次に、この力がチェーン（図示せず）を介して植え付け軸３に伝えられる。このチェーンおよびスプロケット機構は、ハウジング２の内部に存在する。ハウジング２内部の空間は、４分の３が油で満たされている。次に、力が、植え付け軸３から２つの回転ケーシング４に伝えられる。回転ケーシング４は、植え付け軸３の軸のまわりで回転する。
【００１４】
図１に示されるように、各回転ケーシング４の上に、２つのフォークアセンブリ５が取り付けられる。苗植え機ハウジング７上に存在するフォーク６は、トレイ（図示せず）から苗を取り上げる。フォークアセンブリ５が下に伸びて、苗が土壌中に置かれるとき、図２に示されるプランジャ９が苗を土壌に押し込む。プランジャ９は、苗植え機ハウジング７内に存在する従動節（図示せず）の運動によって元の位置へと後退させられる。プランジャ９の運動の正確なタイミングは、カム従動節機構によって制御される。
【００１５】
狭い条間隔を持つモジュール式田植機ユニットは、オイルシールおよび玉軸受け（主ハウジングと回転ケーシングとの間に存在する）を１つの面の中に持っていくことによって達成され、したがって、かなりの空間を節約する。これらの変更によって、新しいシーリング構成の必要性がもたらされた。これは、主ハウジングと回転ハウジングの間隙をシールする。このシーリング構成は、汚れ、水、および他の不純物が植え付けユニットに入ることを防止する。また、空間の減少により、軸の従来の保持構成に対応することが困難になった。その代わりに、軸が５つのＭ５ボルトによって保持される。これらの変更の結果、植え付けユニットは、シールおよび軸受けを平行にすることによって中心線に近づいた。得られた減少は、４０ｍｍの植え付け幅であった。条間隔をさらに減少させるために、苗植え機ハウジングが２０ｍｍ側方にオフセットされ、フォークおよびプランジャアセンブリをそのまま保つ。このオフセットにより、プランジャとカム従動節を接続するチェーンリンクは変えられなければならない。従来のチェーンリンク構成は、コネクタを使用して変えられた。コネクタは、指定された直径および長さのステンレス鋼部分である。このコネクタは、カム従動節とプランジャを接続するために使用される。
【００１６】
さらに、カム従動節およびプランジャはまた、チェーンリンクアセンブリをなくすように設計された新しい部品であるカムリンクによって接続可能である。チェーンリンクは組み立てるのが難しく、この分野では、頻繁に失敗することが知られている。カムリンクは、これらの問題点をすべて解消し、プランジャの動きを抑制するために安全ピンを使用する。カムリンクは、上述のコネクタと同じ機能を果たす単一の剛性部品である。
【００１７】
本発明はまた、２０Ｃｍ〜３０Ｃｍの条間隔を達成する代替方法を提供する。使用される方法のうち１つは、新しいハイブリッドクラッチを用いることである。この新しいハイブリッドクラッチは入力軸に置かれ、安全クラッチと植え付けクラッチの両方として機能する。したがって、この新しいハイブリッドクラッチは植え付けクラッチを除去し、回転ケースが中心線に近づくための空間を提供する。したがって、２０Ｃｍから３０Ｃｍの間の任意の値の条間隔が達成可能である。
【００１８】
条間隔の減少を達成する別の方法は、オフセット植え付けフォークを使用することである。これは、軸受けおよびシールの上記の再構成と共に使用される。これを使用することによって、植え付けハウジングは、オフセットされる必要がない。したがって、この解決策では、植え付けユニットは、フォークを逆方向に単に反転させることによって、２２Ｃｍから３０Ｃｍに切り替え可能である。
【００１９】
本発明の実施形態は、本発明の図面を参照することによって詳細に説明される。
【００２０】
図番号５では、参照番号は、この図に見られるように、セントラルギヤ１１に部分的に着座する軸受け１０と、スペーサ１２を表す。この軸受け１０は、回転ケーシング４と分割された主ハウジング２との間に存在するシール１３の可能な限り近くに置かれる。
【００２１】
上記の実施形態に対応するために、スペーサ１２、スペーサ１２の内部に存在するブッシュ１４、および付随するブラケット１５が再設計される。ブラケット１５は、上述のように５つのＭ５ボルト１６によって保持される。
【００２２】
回転ケーシング４および分割されたハウジング２は、新しいシール１３に対応し、回転中にＭ５ボルト１６に十分な隙間を提供するように設計される。
【００２３】
回転ケーシング４の第２の半分およびキャストインサート１７は、新しい植え付け軸３とコッターピン１８の設計に対応するように設計される。さらに、そのため、回転ケーシング４の第２の半分の新しい設計は、フォークアセンブリ５に対して十分な隙間に対応するように行われる。
【００２４】
苗植え機ハウジング７は、２２ＣＭの条間隔を達成するように設計される。それに応じて、関連するブラケット８が設計される。
【００２５】
カム軸１９は、プランジャ機構２０が苗植え機ハウジング７の内部で往復運動する正確なタイミングを提供するように設計される。
【００２６】
苗植え機ハウジング７の内部では、圧縮ばね２１は、カム従動節２４をカム軸１９と常に接触するように保つ。カム従動節２４は、図６に示されるコネクタ２３が通過するチェーンリンク２２によって、プランジャ９に接続される。コネクタ２３上では、苗植え機ハウジング７の内部で往復運動するプランジャ９が挿入される。
【００２７】
同様に図７に示されるように、カムリンク２５は、チェーンリンク２２の仕事を行い、ピン２６を用いてカム従動節２４をプランジャ９と接続する。プランジャ９の側方への動きを抑制するために、安全ピン２７が使用される。
【００２８】
図８では、モジュール式米植え替えユニットの代替概念Ｉが示されている。この解決策を差別化する特徴は、ハウジング２の中間に着座するハイブリッドクラッチ２８である。ハイブリッドクラッチ２８は、入力軸１上にある。
【００２９】
ハイブリッドクラッチ２８（安全クラッチと植え付けクラッチを組み合わせたもの）が、図９で詳細に説明されている。入力軸１は、植え替え機のエンジンから力を受け取る。この軸に、安全クラッチ２８がスプライン結合される。安全クラッチ３５は、スプライン結合されたスプロケット３０に取り付けられたクラッチ爪２９に力を伝える。スプライン結合されたスプロケット３０は、入力軸１上で固定されていない。この範囲で石が当たるまたは他の任意の障害物が発生するとき、安全クラッチ３５が作動し、力はクラッチ爪２９に伝えられない。安全クラッチ３５は、安全ばね３４に対して動作する。障害物が取り除かれると、安全ばね３４が安全クラッチ３５を押し戻す。オペレータが植え付けクラッチ差し込み口３２を作動させると、クラッチ爪２９が植え付けばね３３に対して適切に行っている仕事に移る。これによって、安全クラッチ３５から力が分離される。したがって、この場合もやはり、力は伝えられない。このハイブリッドクラッチ２８は貴重な空間を節約し、回転ケーシング４を中心に近づける助けとなる。
【００３０】
図１０は、オフセット植え付けフォーク３６を使用することによって条間隔の減少を達成する別の方法を示す。オフセット植え付けフォーク３６を使用することによって、植え付けハウジング３８はオフセットされる必要がない。したがって、植え付けユニット５で必要とされる唯一の他の変更は、オフセットプランジャ３７である。新しいオフセットフォーク３６は、反転されると３０Ｃｍになり、条間隔を達成し、オフセットプランジャ３７は一方の側から他の側に移動可能である。
【００３１】
少なくとも１つの実施形態に関して本発明を説明してきたが、本発明は、この開示の趣旨および範囲内でさらに修正可能である。したがって、本出願は、本発明の一般的原理を使用する本発明のあらゆる変形形態、使用、または適合を包含することを意図する。さらに、本出願は、本発明が関係する当技術分野における既知の慣例または慣習的な慣例に含まれる、本開示からのそのような逸脱を包含することを意図するものである。
【符号の説明】
【００３２】
１  入力軸
２  ハウジング、主ハウジング
３  植え付け軸
４  回転ケーシング
５  フォークアセンブリ、植え付けユニット
６  フォーク
７  苗植え機ハウジング
８  ブラケット
９  プランジャ
１０  軸受け
１１  セントラルギヤ
１２  スペーサ
１３  シール
１４  ブッシュ
１５  ブラケット
１６  Ｍ５ボルト
１７  キャストインサート
１８  コッターピン
１９  カム軸
２０  プランジャ機構
２１  圧縮ばね
２２  チェーンリンク
２３  コネクタ
２４  カム従動節
２５  カムリンク
２６  ピン
２７  安全ピン
２８  ハイブリッドクラッチ、安全クラッチ
２９  クラッチ爪
３０  スプロケット
３２  植え付けクラッチ差し込み口
３３  植え付けばね
３４  安全ばね
３５  安全クラッチ
３６  オフセット植え付けフォーク、オフセットフォーク
３７  オフセットプランジャ
３８  植え付けハウジング
【図１】
2015047165.tif 000003
【図２】
2015047165.tif 000004
【図３】
2015047165.tif 000005
【図４】
2015047165.tif 000006
【図５】
2015047165.tif 000007
【図６】
2015047165.tif 000008
【図７】
2015047165.tif 000009
【図８】
2015047165.tif 000010
【図９】
2015047165.tif 000011
【図１０】
2015047165.tif 000012
【外国語明細書】
2015047165000001.pdf